(57)【要約】本発明は、支持部および磁石を含む磁気眼鏡ホルダに関する。支持部は、直立部材およびベースを含む。磁石は、折り畳まれたとき眼鏡がホルダ上の適切な位置に保持されるように、眼鏡の少なくとも１つのつると引きつける磁気的連絡をすることを可能にする。磁石は、直立部材の中か直立部材の表面にある少なくとも１つの凹部内に少なくとも部分的に位置を決められる。磁石は、直立部材の少なくとも１つの凹部および／または表面に固定されるかまたは取り外し可能に位置を決められ得る。
2010524006.tif 000002
【特許請求の範囲】
【請求項１】
直立部材およびベースを有する支持部と、
該直立部材上にまたは少なくとも部分的に該直立部材に位置を決められる、少なくとも第１の引きつける手段と
を備え、
該少なくとも第１の引きつける手段は、折り畳まれたとき眼鏡がホルダ上の適切な位置に保持されるように、眼鏡の各つると引きつける磁気的連絡をすることを可能にする、磁気眼鏡ホルダ。
【請求項２】
前記支持部は、該ベースが平らな表面に配置されたとき、その意図された直立位置を維持するように動作可能である、請求項１に記載のホルダ。
【請求項３】
前記ベースは、前記平らな表面に確実に付着するための少なくとも１つの吸着カップを備えている、請求項２に記載のホルダ。
【請求項４】
前記直立部材は、人間の顔の輪郭のように形作られる、請求項１に記載のホルダ。
【請求項５】
磁石は、前記直立部材における少なくとも１つの凹部内に少なくとも部分的に位置を決められる、請求項１に記載のホルダ。
【請求項６】
前記第１の引きつける手段は、前記凹部に固定される、請求項５に記載のホルダ。
【請求項７】
前記第１の引きつける手段は、前記凹部に取り外し可能に保持される、請求項５に記載のホルダ。
【請求項８】
前記第１の引きつける手段は、磁気引きつけによって前記凹部に保持される、請求項７に記載のホルダ。
【請求項９】
前記直立部材は前記凹部に少なくとも１つの開口部を備え、前記第１の引きつける手段は該第１の引きつける手段から外側に延びる少なくとも１つの突起部を備え、該突起部は該開口部を通って挿入可能である、請求項５に記載のホルダ。
【請求項１０】
前記第１の引きつける手段は、前記直立部材の表面に位置を決められ、該直立部材から外側に延びる、請求項１に記載のホルダ。
【請求項１１】
前記第１の引きつける手段は、前記直立部材の表面に固定される、請求項１０に記載のホルダ。
【請求項１２】
前記第１の引きつける手段は、前記直立部材の表面に取り外し可能に保持される、請求項１０に記載のホルダ。
【請求項１３】
前記第１の引きつける手段は、前記直立部材を通って延び、該直立部材の両側において引きつける磁気的連絡を提供する、請求項１に記載のホルダ。
【請求項１４】
前記第１の引きつける手段は、磁性材料または非磁性鉄材料から構成される、請求項１に記載のホルダ。
【請求項１５】
スタンドと、
該スタンド上に、または少なくとも部分的に該スタンドに保持される、少なくとも１つの引きつける手段と
を備え、
該少なくとも第１の引きつける手段は、折り畳まれたとき眼鏡がホルダ上の適切な位置に保持されるように、眼鏡の各つると引きつける磁気的連絡をすることを可能にする、磁気眼鏡ホルダ。
【請求項１６】
前記スタンドは、該スタンドが平らな表面に配置されたとき、その意図された直立位置を維持するように動作可能である、請求項１５に記載のホルダ。
【請求項１７】
前記引きつける手段は、前記スタンドにおける少なくとも１つの凹部内に少なくとも部分的に位置を決められる、請求項１６に記載のホルダ。
【請求項１８】
第１の引きつける手段を含む支持部を備え、
該支持部は、平らな表面に配置されたとき、その意図された直立位置を維持するように動作可能であり、
該第１の引きつける手段は、折り畳まれたとき眼鏡がホルダ上の適切な位置に保持されるように、眼鏡の各つると引きつける磁気的連絡をすることを可能にする、磁気眼鏡ホルダ。
【請求項１９】
前記第１の引きつける手段は、磁石である、請求項１８に記載のホルダ。
【請求項２０】
前記第１の引きつける手段は、非磁性鉄材料から構成される、請求項１８記載のホルダ。
【請求項２１】
前記支持部は、垂直部材およびベースを備えている、請求項１８に記載のホルダ。
【請求項２２】
前記第１の引きつける手段は、前記垂直部材上にまたは少なくとも部分的に該垂直部材に位置を決められる、請求項２１に記載のホルダ。
【発明の詳細な説明】
【技術分野】
【０００１】
（関連出願の引用）
本出願は、２００６年１２月５日に出願された米国特許出願第１１／５６６，８７２号および２００６年１１月６日出願された仮特許出願第６０／８６４，５０２号に対する優先権を主張し、これらの出願の全体が援用される。
【０００２】
（技術分野）
本発明は、眼鏡ホルダに関し、より詳細には磁気眼鏡ホルダに関する。
【背景技術】
【０００３】
（発明の背景）
典型的な眼鏡は、ノーズピースの両側にある２つのレンズを収納するフレーム本体から成る。フレーム本体に取り付けられるのは、フレーム本体の２つの端部から延びる２つの眼鏡のつる（ｔｅｍｐｌｅ  ｂａｒ）である。眼鏡のつるは、フレーム本体に垂直な開位置とフレーム本体に平行な閉位置との間で旋回する。眼鏡のつるに別個のイアピース、またはつる先端部が取り付けられることがある。眼鏡のつるおよびノーズピースは着用者の頭においてフレームを支持する。
【０００４】
個人はしばしば、一日の途中で自分の眼鏡を取り外す。彼らは、自分の首の周りに眼鏡をつるし眼鏡はそこで自分の胸に当ってはね上がり得るか、眼鏡をポケットに入れてそれを落としてしまうか、または眼鏡が損傷され得る場所にそれを置き得る。特に個人が夜寝るとき、彼らは、自分の眼鏡をどこかに置き、翌朝彼らが眼鏡を必要とするとき、どこに置いたか思い出せないことがあり得る。
【０００５】
この問題を解決するために、先行技術は、独立した眼鏡ホルダおよび堅い表面に固定される眼鏡ホルダを含む様々な眼鏡ホルダを教示する。しかしながら、本発明とは異なり、これらの眼鏡ホルダのどれも眼鏡を保持する磁気手段を含まない。
【０００６】
様々な目的のために眼鏡フレームに磁石を用いることはまた、当該分野において周知である。例えば、多数の眼鏡フレームは、健康の利益のために着用者を磁化する磁石を有する。他の眼鏡フレームは、眼鏡フレーム部を一緒に保持するために磁石を用い、それによって、補助フレーム、レンズ、または類似のものを用いて新しい構成に分解し、再組み立てすることを容易にする
【発明の概要】
【課題を解決するための手段】
【０００７】
本発明の実施形態は、第１の引きつける手段を有する支持部を含む磁気眼鏡ホルダに関する。支持部は、平らな表面に配置されたとき、その意図された直立位置を維持するように動作可能である。第１の引きつける手段は、折り畳まれたとき眼鏡がホルダ上の適切な位置に保持されるように、眼鏡の各つると引きつける磁気的連絡をすることを可能にする。
【０００８】
一部の実施形態において、支持部は直立の部材およびベースを含む。第１の引きつける手段は、直立部材上にまたは少なくとも部分的に直立部材に位置を決められる。支持部はスタンドであり得る。
【０００９】
一部の実施形態において、第１の引きつける手段は磁石である。さらにまたはあるいは、第１の引きつける手段は、非磁性鉄材料から形成される。
【００１０】
本発明の実施形態はまた、直立部材およびベースを有する支持部と、直立部材上にまたは少なくとも部分的に直立部材に位置を決められる、少なくとも１つの磁石とを含む磁気眼鏡ホルダに関する。少なくとも１つの磁石は、折り畳まれたとき眼鏡がホルダ上の適切な位置に保持されるように、眼鏡の各つると引きつける磁気的連絡をすることを可能にする。
【００１１】
一部の実施形態において、支持部は、ベースが平らな表面に配置されたとき、その意図された直立位置を維持するように動作可能である。支持部は、平らな表面に確実に付着するための少なくとも１つの吸着カップを含み得る。
【００１２】
一部の実施形態において、磁石は、直立部材における少なくとも１つの凹部内に少なくとも部分的に位置を決められる。磁石は、凹部に固定されるか、または凹部に取り外し可能に保持され得る。磁石は、任意の手段によって凹部に取り外し可能に保持され得る。例えば、磁石は、磁気引きつけによって凹部に取り外し可能にあり得る。さらにまたはあるいは、直立部材は凹部に少なくとも１つの開口部を含み得、磁石は開口部を通って挿入可能な少なくとも１つの外側に延びる突起部を含み得る。
【００１３】
他の実施形態において、磁石は、直立部材の表面に位置を決められ、直立部材から外側に延びる。磁石は、直立部材の表面に固定されるかまたは直立部材の表面に取り外し可能に保持され得る。
【００１４】
他の実施形態において、磁石は、直立部材を通って延び、直立部材の両側において引きつける磁気的連絡を提供する。
【００１５】
前述のことは、次に続く本発明の詳細な説明がより良く理解され得るために、本発明の特徴および技術的利点をやや広く概説した。本発明のさらなる特徴および利点は、以下に説明され、本発明の特許請求の範囲の主題を形成する。開示された概念および特定の実施形態が本発明の同じ目的を実行するための他の構造を修正または設計するためのベースとして容易に用いられ得ることは当業者によって理解されるべきである。そのような均等の構造が添付の特許請求の範囲に述べられるような本発明の精神および範囲から逸脱しないことも当業者によって理解されるべきである。本発明の組織および動作方法の両方に関して、本発明の特性と考えられる新規の特徴は、さらなる目的および利点と共に、添付の図に関連して考慮されるとき、次の説明からより良く理解される。しかしながら、図の各々は例示および説明の目的のみのために提供され、本発明の限界の定義としては意図されないことは明確に理解されるべきである。
【００１６】
本発明のより完全な理解のために、添付の図面と関連して取り上げられる下記の説明に対してここで参照がなされる。
【図面の簡単な説明】
【００１７】
【図１Ａ】図１Ａは、本発明の実施形態に従う磁気眼鏡ホルダの斜視図である。
【図１Ｂ】図１Ｂは、本発明の別の実施形態に従う磁気眼鏡ホルダの斜視図である。
【図２】図２は、本発明の別の実施形態に従う磁気眼鏡ホルダの斜視図である。
【図３】図３は、本発明の別の実施形態に従う磁気眼鏡ホルダの斜視図である。
【図４】図４は、本発明の別の実施形態に従う磁気眼鏡ホルダの斜視図である。
【図５】図５は、本発明の別の実施形態に従う磁気眼鏡ホルダの斜視図である。
【発明を実施するための形態】
【００１８】
（発明の詳細な説明）
以下の図面および説明において、同様な部品はそれぞれ、明細書および図面全体を通じて同じ参照番号で示される。図面は、必ずしも一定の縮尺ではない。本発明の特定の特徴は縮尺で誇張されるかまたは多少概略的形式で示され得、従来の要素の一部の詳細は、明快さおよび簡潔性のために示されない場合がある。本発明は、種々の形式の実施形態で可能である。特定の実施形態は、本開示が、本発明の原理の実例であると考えられるべきであり、本明細書において例示され説明される実例に限定されることは意図されないという理解をもって、詳細に説明され、図面に示される。以下に論議される実施形態の種々の教示が所望の成果を生成するために別々にまたは任意の適切な組合せで用いられ得ることは十分に認識されるべきである。用語「接続する」「係合する」「連結する」「取り付ける」または要素間の相互作用を説明する任意の他の用語の任意の形式の任意の使用は、要素間の直接の相互作用に相互作用を限定する意図はなく、説明される要素間の間接的相互作用をも含み得る。上記に言及された様々な特徴そしてより詳細に以下に説明される他の特徴および特性は、実施形態の下記の詳細な説明を読み次第、そして添付の図面を参照することによって当業者に容易に明らかである。
【００１９】
図１〜図５は、一組の眼鏡を保持するための支持部１２および第１の引きつける手段１４を備えている眼鏡ホルダ１０の実施形態を例示する。本発明によって扱われる眼鏡ホルダ１０の実施形態が１つを超える引きつける手段を含み得ることは理解されるべきである。
【００２０】
図１Ａに示されるように、第１の引きつける手段１４は、眼鏡４０を引きつけ、保持する。第１の引きつける手段１４は、支持部１２上にまたは少なくとも部分的に支持部１２に位置を決められるのに適した任意の大きさまたは形状であり得る。適切な形状の非限定の例は、長方形、正方形、円形、楕円形、および六角形を含む。第１の引きつける手段１４は、磁性材料または非磁性鉄材料から構成され得る。磁性材料は、眼鏡の少なくとも一部分において少なくとも１つの磁石および／または金属あるいは金属の組合せを含む眼鏡と引きつける連絡をすることを可能にする。少なくとも１つの磁石および／または金属あるいは金属の組合せは、折り畳まれたとき眼鏡が眼鏡ホルダ１０上の適切な位置に保持されるように、眼鏡のつるの中に含まれ得るかまたは眼鏡のつる上に含まれ得る。第１の引きつける手段１４と眼鏡４０に含まれる少なくとも１つの磁石および／または金属あるいは金属の組合せとの間の引きつけによって、眼鏡ホルダ１０は眼鏡４０を保持し得る。非磁気鉄材料は、眼鏡の少なくとも一部分において少なくとも１つの磁石を含む眼鏡と引きつける磁気的連絡をすることを可能にする。少なくとも１つの磁石は、折り畳まれたとき眼鏡が眼鏡ホルダ１０上の適切な位置に保持されるように、眼鏡のつるの中に含まれ得るかまたは眼鏡のつる上に含まれ得る。第１の引きつける手段１４と眼鏡４０に含まれる少なくとも１つの磁石との間の引きつけによって、眼鏡ホルダ１０は眼鏡４０を保持し得る。
【００２１】
支持部１２は、図１Ａおよび図１Ｂに示されるように、平らな表面３０に配置されたとき、その意図された直立位置を維持するように動作可能である。図１〜図３に示されるように、支持部１２は、平らな表面に確実に付着するための吸着カップ２０をさらに備え得る。吸着カップ２０は、図１Ａおよび図１Ｂに示されるように、支持部１２を助け、平らな表面３０において直立位置を維持する。
【００２２】
図１Ｂおよび図２〜図５に示されるように、支持部１２は、直立部材１６およびベース１８を備え得る。吸着カップ２０は、図２および図３に示されるように、好ましくはベース１８の下部に位置を決められる。直立部材１６は、当該分野において公知の任意の適切な材料から構成され得る。適切な材料の非限定の例は、金属、プラスチック、ガラス、木、石、セラミックまたはこれらの組合せである。好ましくは、直立部材１６は、金属またはステンレス鋼などの金属の組合せから構成される。直立部材１６は、任意の大きさまたは形状であり得るが、図３〜図５に例示される形状などの単純で基本的な形状を有する直立部材が好ましい。なぜならこれらの形状は容易に製造されるからである。しかしながら、直立部材１６は、所望に応じ美的目的のために、図１Ｂおよび図２に示されるような人間の顔の輪郭などのより複雑な物体に似せて形作られ得る。
【００２３】
ベース１８は、当該分野において公知の任意の適切な材料から構成され得る。適切な材料の非限定の例は、金属、プラスチック、ガラス、木、石、セラミックまたはこれらの組合せである。好ましくは、ベース１８は、金属またはステンレス鋼などの金属の組合せから構成される。ベース１８は任意の大きさまたは形状であり得るが、ベース１８は、支持部１２が図１Ｂに示されるように平らな表面３０に配置されるとき、好ましくは、ベース自体および直立部材１６を直立に維持するように機能を果たすように形作られる。
【００２４】
本発明の好ましい実施形態において、第１の引きつける手段１４は、ニオブ（ｎｙｏｂｉｕｍ）などの磁性材料を含む。図１Ｂ、図２および図３に示されるように、磁石１４は、少なくとも部分的に直立部材１６の凹部内に位置を決められ得る。磁石１４は、磁石１４が凹部２２から取り外し不能であるように、図１Ａおよび図１Ｂに示されるように凹部２２に固定され得る。磁石１４は、接着剤の使用または溶接などによる、当該分野において公知の任意の適切な手段を用いて凹部２２に固定され得る。
【００２５】
あるいは、磁石１４は、図２および図３に示されるように、少なくとも部分的に凹部２２内に取り外し可能に位置を決められ得る。磁石１４は、図２に示されるように、磁石１４と金属または凹部２２が少なくとも部分的に作られる金属の組合せとの間の磁気引きつけによって凹部２２に取り外し可能に保持され得る。図３に示されるように、磁石１４は、磁石１４の外側に延びる部材２４を凹部２２の開口部２６の中に挿入することによって凹部２２において取り外し可能に保持され得る。凹部２２が金属または金属の組合せを含む実施形態において、磁石１４は磁気引きつけによって凹部２２にさらに保持される。摩擦ばめ、Ｖｅｌｃｒｏ、およびロウなどの他の方法が用いられ得る。
【００２６】
本発明の実施形態の磁石１４は、直立部材１６を通って延び得る。このようにして、磁石１４は、第１の一組の眼鏡を直立部材１６の一方の側に引きつけ保持して、第２の一組の眼鏡を直立部材１６のもう一方の側に引きつけ保持し得る。直立部材１６を通って延びる１つを超える磁石１４もあり得、その結果、二組を超える眼鏡が眼鏡ホルダ１０によって保持され得る。
【００２７】
図４および図５に示されるように、磁石１４は、直立部材１６の表面に位置を決められ得る。磁石１４は直立部材１６の表面に固定され得、その結果、磁石１４は、直立部材１６の表面から取り外し不能である。磁石１４は、接着剤の使用または溶接などによる、当該分野において公知の任意の適切な手段を用いて固定され得る。
【００２８】
あるいは、磁石１４は、当該分野において公知の任意の適切な手段によって、直立部材１６の表面に取り外し可能に位置を決められ得る。例えば、磁石１４は、磁石１４と金属または直立部材１６が少なくとも部分的に作られる金属の組合せとの間の磁気引きつけによって直立部材１６の表面に取り外し可能に保持され得る。さらにまたはあるいは、適切な位置のクリップ、適切な位置のスナップ、摩擦ばめ、Ｖｅｌｃｒｏ、およびロウなどのほかの方法が用いられ得る。
【００２９】
本発明およびその利点が詳細に説明されたが、様々な変更、代用、および修正が、添付の特許請求の範囲によって定義されるような本発明の精神および範囲から逸脱することなく本明細書においてなされ得ることは理解されるべきである。さらに、本出願の範囲は、明細書に説明されるプロセス、機械、製造、物質の組成、手段、方法およびステップの特定の実施形態に限定されることは意図されない。当業者は本発明の開示から容易に理解するように、本明細書に説明される対応する実施形態と実質的に同じ機能かまたは実質的に同じ成果を達成する、現存するかまたは後に開発される、プロセス、機械、製造、物質の組成、手段、方法、またはステップは、本発明に従って利用され得る。従って、添付の特許請求の範囲は、その範囲内に、そのようなプロセス、機械、製造、物質の組成、手段、方法、またはステップを含むことが意図される。
【図１Ａ】
2010524006.tif 000003
【図１Ｂ】
2010524006.tif 000004
【図２】
2010524006.tif 000005
【図３】
2010524006.tif 000006
【図４】
2010524006.tif 000007
【図５】
2010524006.tif 000008
【国際調査報告】
2010524006.tif 000009